(57)【要約】【課題】本発明は、新たにＤＣ電源供給用ケーブルを増やすことなくアンプ、エフェクター、チューナーのＤＣ電源が使い放題となり、電圧低下や消耗時間を気にすることなく、また、高性能のアンプ、エフェクター等の装置が使用でき得る楽器用ＤＣ電源安定供給装置とＤＣ電源安定供給装置付アンプを提供することを目的としている。【解決手段】上記の目的を達成するための本発明のＤＣ電源安定供給装置とＤＣ電源安定供給装置付アンプは、通常のステレオ用ケーブルを介して楽器側にステレオ用ジャックを使用し、アンプ側にはＤＣ電源安定供給用プラグとＡＣアダプター、又は、アンプ本体にＤＣ電源安定供給用ジャックとＤＣ電圧可変機構付ＡＣアダプターを設けたものである。【選択図】図２
2006085109.tif 000002
【特許請求の範囲】
【請求項１】
ステレオ用ケーブルの両端に取り付けられたステレオ用プラグの負極（−）に当たる部分を共通とし、先端正極（＋）部分を音声増幅用、他の正極（＋）部分をＤＣ電源供給用としてＡＣアダプターを接合できる一体型ＤＣ電源安定供給用プラグと、楽器側に取り付けられたステレオ用ジャックとを前記ステレオ用ケーブルで連結することにより楽器側に安定したＤＣ電源を供給することができるように構成されたことを特徴とするＤＣ電源安定供給装置。
【請求項２】
楽器にステレオ用ジャックを取り付け、負極（−）を共通とし、前記ステレオ用ジャックに差し込んだステレオ用プラグの先端正極（＋）にあたる部分を音声増幅用回路に接続し、他の正極（＋）にあたる部分を楽器内、及び、楽器周辺の増幅アンプ、エフェクター用等のＤＣ電源回路に接続するように構成されたことを特徴とするＤＣ電源安定供給装置。
【請求項３】
楽器用アンプにステレオ用ジャックを取り付け、負極（−）を共通とし、前記ステレオ用ジャックに差し込んだステレオ用プラグの先端正極（＋）にあたる部分を音声増幅用、他の正極（＋）をＤＣ電源供給用とし、ＤＣ電源供給用にあたる正極（＋）に電圧可変機構付ＡＣアダプターを接続するように構成されたことを特徴とするＤＣ電源安定供給装置付アンプ。
【発明の詳細な説明】
【技術分野】
【０００１】
本発明は、楽器内、及び、楽器周辺に取り付けられたアンプ、エフェクター、チューナー用のＤＣ電源回路として電圧低下や消耗する電池を使用しなくてもよいＤＣ電源安定供給装置に関するものである。
【背景技術】
【０００２】
楽器中、特にギターにおいては、手元でコントロールできうるよう楽器内、及び、楽器周辺に取り付けられたアンプ、エフェクター、チューナーのＤＣ電源は全て電池を使用しているのが一般的である。
【０００３】
しかし、上記において電池を使わずそれに代わるＤＣ電源を供給するには新たにＤＣ電源供給用ケーブルが一本増えることになり、電圧低下や消耗が余儀なくされる電池の宿命の下、高性能なアンプ、エフェクター等の装置が使用できないのである。
【特許文献１】特になし
【非特許文献１】特になし。
【発明の開示】
【発明が解決しようとする課題】
【０００４】
本発明は、上記の問題を解決するものであって、新たにＤＣ電源供給用ケーブルを増やすことなくアンプ、エフェクター、チューナーのＤＣ電源が使い放題となり、電圧低下や消耗時間を気にすることなく、また、高性能のアンプ、エフェクター等の装置が使用でき得る楽器用ＤＣ電源安定供給装置とＤＣ電源安定供給装置付アンプを提供することを目的としている。
【課題を解決するための手段】
【０００５】
上記の目的を達成するための本発明のＤＣ電源安定供給装置とＤＣ電源安定供給装置付アンプは、通常のステレオ用ケーブルを介して楽器側にステレオ用ジャックを使用し、アンプ側にはＤＣ電源安定供給用プラグとＡＣアダプター、又は、アンプ本体にＤＣ電源安定供給用ジャックとＤＣ電圧可変機構付ＡＣアダプターを設けたものである。
【０００６】
上記のように構成された本発明のＤＣ電源安定供給装置、又は、ＤＣ電源安定供給装置付アンプを使用することによって演奏中のトラブル、即ち、電圧低下や消耗による中断等がなくなり、その上、高性能のアンプ、エフェクター等の装置が他種類使用でき、これらを手元で自由にコントロールできる。
【発明の効果】
【０００７】
以上のように構成されたＤＣ電源安定供給装置とＤＣ電源安定供給装置付アンプは、次のような効果を奏する。
【０００８】
請求項１は、ステレオ用ケーブルとＡＣアダプターを接合できる一体型プラグによって従来のモノラルアンプがそのまま使用でき、楽器内、及び、楽器周辺に取り付けられたアンプ、エフェクター、チューナーを電圧低下や消耗を気にすることなく手元でコントロールできる。
【０００９】
請求項２は、従来使用されているモノラル用ジャックをステレオ用ジャックに交換することで、１本のステレオ用ケーブルでＤＣ電源安定供給と楽器、アンプ間の音声増幅回路の接続ができる。
【００１０】
請求項３は、請求項１の一体型プラグ機能をアンプ内に取り込んだことで、電圧可変機構付ＡＣアダプターを内蔵でき使用目的に合ったＤＣ電圧が選択できる。
【発明を実施するための最良の形態】
【００１１】
本発明は、通常のステレオ用ケーブルを介して、楽器側にステレオ用ジャック、アンプ側のモノラル用ジャックにＤＣ電源安定供給用プラグを差し込む、又は、ＤＣ電源安定供給装置付アンプを使用することで新たにＤＣ電源供給用ケーブルを増やすことなくアンプ、エフェクター、チューナーのＤＣ電源が使い放題となり、電圧低下や消耗時間を気にすることなく、また、高性能のアンプ、エフェクター等の装置が使用できる。
【実施例】
【００１２】
図１は、本発明に関する参考図であって、ステレオ用プラグ３とステレオ用ジャック４を示したものである。
【００１３】
図２は、本発明に関する第１実施例の図であって、一体型ＤＣ電源安定供給用プラグ１にＤＣ電源供給用としてＡＣアダプターＤのミニプラグ２を接合し、ステレオ用プラグ３付ステレオ用ケーブルＣを介して楽器Ｇ（ギター）に取り付けられたステレオ用ジャック４のＤＣ端子に送られたＤＣ電源によりアンプ、エフェクター、チューナーが機能し、このことによって性能アップされた音声等がステレオ用ジャック４の音声増幅用端子Ｈ、及び、ステレオ用ケーブルＣを経てアンプＡに送られる。
【００１４】
図３−１、図３−２は、本発明に関する第１実施例の一体型ＤＣ電源安定供給用プラグ１示す図であって、成形加工による樹脂製を本体として、一般的に行われているような連結スプリングＳによってそれぞれステレオ用プラグ３、ＡＣアダプターＤのミニプラグ２の保持と連結接続をする。この図から明らかなように、アンプ側に差し込まれる部分はモノラルになっている。
【００１５】
図４は、本発明に関する第２実施例の図であって、図４−１は、楽器Ｇ（ギター）の後部にステレオ用ジャック４を取り付けた状態を示す図である。図４−２は、ステレオ用ジャック４にステレオ用プラグ３を差し込んだ状態を示す図であって、ステレオ用ジャック４はＤＣ電源端子ＤＣ、音声増幅端子Ｈ、共通負極（−）端子で構成されている。図４−３は、ステレオ用プラグ３とステレオ用ジャック４の接合をより詳しく示した図である。これらから、ＤＣ電源端子ＤＣは、楽器内のアンプ、エフェクター、チューナーに供給するための、行き、にあたり、音声増幅端子Ｈは性能アップされた音声等の、帰り、にあたる。
【００１６】
図５は、本発明に関する第３実施例であって、楽器用アンプＡにステレオ用ジャック４を取り付け、負極（−）を共通とし、前記ステレオ用ジャック４に差し込んだステレオ用プラグ３の先端正極（＋）にあたる部分を音声増幅用、他の正極（＋）をＤＣ電源供給用とし、ＤＣ電源供給用にあたる正極（＋）に電圧可変機構付ＡＣアダプターＶを接続するように構成されている。即ち、ＡＣアダプターを接合できる一体型ＤＣ電源安定供給用プラグ１をアンプＡ内に内蔵し、更に、アンプ、エフェクター、チューナーによって使用ＤＣ電圧が異なることから目的のＤＣ電圧を選択できる。
【産業上の利用可能性】
【００１７】
本発明によって高性能のアンプ、エフェクター、チューナー等が商品化され音楽会、及び、楽器関連産業に効果をもたらすことになる。
【図面の簡単な説明】
【００１８】
【図１】ステレオ用プラグ、及び、ステレオ用ジャックの関連参考図である。
【図２】本発明を適用した楽器用ＤＣ電源安定供給装置の仕組みを示す全体図である。（実施例１）
【図３】本発明を適用した一体型ＤＣ電源安定供給用プラグを説明する全体図、及び、断面図である。（実施例１）
【図４】本発明を適用した楽器用ＤＣ電源安定供給装置の楽器内装置を説明する図である。（実施例２）
【図５】本発明を適用したＤＣ電源安定供給装置付アンプを説明する図である。（実施例３）
【符号の説明】
【００１９】
Ａ    アンプ
Ｃ    ステレオ用ケーブル
Ｄ    ＡＣアダプター
ＤＣ  直流
Ｇ    楽器（ギター）
Ｈ    音声増幅用端子
Ｓ    連結スプリング
Ｖ    電圧可変機構付ＡＣアダプター
１    一体型ＤＣ電源安定供給用プラグ
２    ＡＣアダプターのミニプラグ
３    ステレオ用プラグ
４    ステレオ用ジャック
【図１】
2006085109.tif 000003
【図２】
2006085109.tif 000004
【図３】
2006085109.tif 000005
【図４】
2006085109.tif 000006
【図５】
2006085109.tif 000007